(57)【要約】【課題】可動体側の磁性部材と固定体側の駆動用磁石との間の磁気的吸引力の調整が可能であっても、組立作業を容易に行うことが可能なレンズ駆動装置を提供する。【解決手段】このレンズ駆動装置は、可動体に固定される駆動用コイルと、固定体に固定される駆動用磁石２１と、駆動用磁石２１よりも被写体側で可動体に固定される環状の磁性部材１３を備えている。可動体は、磁性部材１３が搭載される平面状の磁性部材搭載面８ｃと、レンズの周方向において所定の間隔をあけた状態で形成され磁性部材搭載面８ｃから被写体側に向かって突出する複数の突出部８ｄを備えている。磁性部材搭載面８ｃは、突出部８ｄの外周側および複数の突出部８ｄの間に形成され、磁性部材１３は、突出部８ｄの外周側に配置される複数の外周側配置部１３ａと、複数の突出部８ｄの間に配置され外周側配置部１３ａよりも内径の小さい複数の突出部間配置部１３ｂを備えている。【選択図】図４
2014115309.tif 000002
【特許請求の範囲】
【請求項１】
レンズを保持し前記レンズの光軸方向へ移動可能な可動体と、前記可動体を前記光軸方向へ移動可能に保持する固定体と、前記可動体に固定される駆動用コイルと、前記駆動用コイルに対向するように前記固定体に固定される駆動用磁石と、前記可動体と前記固定体とを繋ぐバネ部材と、前記駆動用磁石よりも被写体側で前記可動体に固定され前記駆動用磁石との間に生じる磁気的吸引力によって前記光軸方向における前記可動体の基準位置に向かって前記可動体を付勢する環状の磁性部材とを備え、
前記可動体は、前記磁性部材が搭載される平面状の磁性部材搭載面と、前記レンズの周方向において所定の間隔をあけた状態で形成されるとともに前記磁性部材搭載面から被写体側に向かって突出する複数の突出部とを備え、
前記磁性部材搭載面は、前記突出部の外周側および複数の前記突出部の間に形成され、
前記磁性部材は、前記突出部の外周側に配置される複数の外周側配置部と、複数の前記突出部の間に配置され前記外周側配置部よりも内径の小さい複数の突出部間配置部とを備えることを特徴とするレンズ駆動装置。
【請求項２】
前記光軸方向から見たときの形状が略矩形状となるように形成され、
前記駆動用磁石は、略平板状に形成されるとともに、前記光軸方向から見たときの前記レンズ駆動装置の四辺のそれぞれに沿うように配置され、
前記可動体は、前記レンズの光軸を曲率中心にした略円弧状に形成され前記レンズの光軸を中心とした略９０°ピッチで配置される４個の前記突出部を備え、
前記磁性部材は、前記レンズの光軸を中心とした略９０°ピッチで配置される４個の前記外周側配置部と、前記レンズの光軸を中心とした略９０°ピッチで配置される４個の前記突出部間配置部とを備え、
４個の前記突出部および４個の前記外周側配置部のそれぞれは、前記光軸方向から見たときの前記レンズ駆動装置の四隅のそれぞれに対応する位置に配置され、
４個の前記突出部間配置部は、前記光軸方向から見たときの前記レンズ駆動装置の四辺のそれぞれに対応する位置に配置されていることを特徴とする請求項１記載のレンズ駆動装置。
【請求項３】
前記可動体は、前記磁性部材の外周側に配置され前記磁性部材搭載面から被写体側に向かって突出する４個の第２突出部を備え、
４個の前記第２突出部のそれぞれは、前記光軸方向から見たときの前記レンズ駆動装置の四隅のそれぞれに対応する位置に配置されていることを特徴とする請求項２記載のレンズ駆動装置。
【請求項４】
前記磁性部材は、前記外周側配置部から外周側へ突出する２個の突起部を備え、
前記可動体には、前記突起部が係合する２個の係合部が形成され、
２個の前記突起部および２個の前記係合部のそれぞれは、前記光軸方向から見たときの前記レンズ駆動装置の四隅のうちの２箇所のそれぞれに対応する位置に配置されていることを特徴とする請求項２または３記載のレンズ駆動装置。
【請求項５】
前記突出部間配置部には、外周側へ突出する凸部が形成され、
前記凸部の全体が前記磁性部材搭載面に搭載されていることを特徴とする請求項１から４のいずれかに記載のレンズ駆動装置。
【請求項６】
前記磁性部材は、前記光軸方向から見たときに前記レンズの光軸に対して点対称に形成されていることを特徴とする請求項１から５のいずれかに記載のレンズ駆動装置。
【請求項７】
前記突出部は、前記光軸方向における前記可動体の可動範囲を規制する機能を果たしていることを特徴とする請求項１から６のいずれかに記載のレンズ駆動装置。
【請求項８】
請求項１から７のいずれかに記載のレンズ駆動装置の調整方法であって、
前記磁性部材の径方向における前記突出部間配置部の幅によって、前記駆動用磁石と前記磁性部材との間の磁気的吸引力を調整することを特徴とするレンズ駆動装置の調整方法。
【発明の詳細な説明】
【技術分野】
【０００１】
本発明は、携帯電話等で使用される比較的小型のカメラに搭載されるレンズ駆動装置に関する。また、本発明は、かかるレンズ駆動装置の調整方法に関する。
【背景技術】
【０００２】
従来、携帯電話等に搭載されるカメラの撮影用レンズを駆動するレンズ駆動装置として、レンズを保持して光軸方向へ移動する移動体と、移動体を光軸方向へ移動可能に保持する支持体と、移動体を光軸方向へ駆動するための駆動用コイルおよび駆動用磁石とを備えるレンズ駆動装置が知られている（たとえば、特許文献１参照）。特許文献１に記載のレンズ駆動装置では、移動体に駆動用コイルが取り付けられ、支持体に駆動用磁石が取り付けられている。また、このレンズ駆動装置では、光軸方向における移動体の両端側に配置される板バネによって、移動体と支持体とが繋がれている。
【０００３】
また、特許文献１に記載のレンズ駆動装置では、光軸方向における移動体の両端側に配置される板バネのうち、被写体側に配置される板バネは、移動体に固定される円環状の第１固定部と、支持体に固定される第２固定部と、第１固定部と第２固定部とを繋ぐ複数の腕部とを備えている。この板バネは、腕部が撓んだ状態で、移動体および支持体に固定されており、この板バネの付勢力によって、移動体は、光軸方向における移動体の基準位置に向かって付勢されている。
【０００４】
また、特許文献１に記載のレンズ駆動装置では、円環状の磁性部材が、駆動用磁石よりも被写体側で移動体に固定されている。このレンズ駆動装置では、この磁性部材と、支持体に固定される駆動用磁石との間に、磁気的な吸引力が作用しており、被写体側に配置される板バネの付勢力に加え、この磁気的吸引力によっても、光軸方向における移動体の基準位置に向かって移動体が付勢されている。
【０００５】
このように、特許文献１に記載のレンズ駆動装置では、被写体側に配置される板バネの付勢力と、磁性部材と駆動用磁石との間の磁気的吸引力とによって、光軸方向における移動体の基準位置に向かって移動体が付勢されている。そのため、このレンズ駆動装置では、被写体側に配置される板バネのバネ特性や駆動用磁石の磁力等がばらついて、基準位置に向かう方向への移動体の付勢力がばらつくと、始動電流がばらついて、レンズ駆動装置の特性がばらつく。
【０００６】
そこで、特許文献１に記載のレンズ駆動装置では、円環状に形成される磁性部材の外周側に形成される複数の凸部または凹部、あるいは、円環状に形成される磁性部材の内周側に形成される複数の凹部等からなる吸引力調整部が磁性部材に設けられており、レンズ駆動装置の光軸を中心にして磁性部材を回して吸引力調整部の位置を変えることで、磁性部材と駆動用磁石との間の磁気的吸引力を調整している。また、磁性部材と駆動用磁石との間の磁気的吸引力を調整することで、基準位置に向かう方向への移動体の付勢力を調整して、始動電流のばらつきを抑制している。
【先行技術文献】
【特許文献】
【０００７】
【特許文献１】特開２００９−１２２３３３号公報
【発明の概要】
【発明が解決しようとする課題】
【０００８】
上述のように、特許文献１に記載のレンズ駆動装置では、レンズ駆動装置の光軸を中心にして磁性部材を回して吸引力調整部の位置を変えることで、磁性部材と駆動用磁石との間の磁気的吸引力を調整している。そのため、このレンズ駆動装置では、調整後に磁性部材を適切に位置決めしないと、調整された磁性部材と駆動用磁石との間の磁気的吸引力が変動するおそれがある。したがって、このレンズ駆動装置では、磁性部材の位置決め作業が煩雑になるおそれがあり、その結果、レンズ駆動装置の組立作業が煩雑になるおそれがある。
【０００９】
そこで、本発明の課題は、可動体に固定される磁性部材と固定体に固定される駆動用磁石との間の磁気的吸引力の調整が可能であっても、組立作業を容易に行うことが可能なレンズ駆動装置を提供することにある。また、本発明の課題は、かかるレンズ駆動装置の調整方法を提供することにある。
【課題を解決するための手段】
【００１０】
上記の課題を解決するため、本発明のレンズ駆動装置は、レンズを保持しレンズの光軸方向へ移動可能な可動体と、可動体を光軸方向へ移動可能に保持する固定体と、可動体に固定される駆動用コイルと、駆動用コイルに対向するように固定体に固定される駆動用磁石と、可動体と固定体とを繋ぐバネ部材と、駆動用磁石よりも被写体側で可動体に固定され駆動用磁石との間に生じる磁気的吸引力によって光軸方向における可動体の基準位置に向かって可動体を付勢する環状の磁性部材とを備え、可動体は、磁性部材が搭載される平面状の磁性部材搭載面と、レンズの周方向において所定の間隔をあけた状態で形成されるとともに磁性部材搭載面から被写体側に向かって突出する複数の突出部とを備え、磁性部材搭載面は、突出部の外周側および複数の突出部の間に形成され、磁性部材は、突出部の外周側に配置される複数の外周側配置部と、複数の突出部の間に配置され外周側配置部よりも内径の小さい複数の突出部間配置部とを備えることを特徴とする。
【００１１】
本発明のレンズ駆動装置は、駆動用磁石との間に生じる磁気的吸引力によって光軸方向における可動体の基準位置に向かって可動体を付勢する環状の磁性部材を備えている。また、本発明では、磁性部材は、突出部の外周側に配置される複数の外周側配置部と、複数の突出部の間に配置され外周側配置部よりも内径の小さい複数の突出部間配置部とを備えている。そのため、本発明では、バネ部材のバネ特性等がばらついても、磁性部材の径方向における突出部間配置部の幅等を調整することで、磁性部材と駆動用磁石との間の磁気的吸引力を調整して、基準位置に向かう方向への可動体の付勢力を調整することが可能になる。また、本発明では、突出部間配置部が複数の突出部の間に配置されているため、突出部を利用して、磁性部材を容易に位置決めすることが可能になる。したがって、本発明では、磁性部材と駆動用磁石との間の磁気的吸引力の調整が可能であっても、レンズ駆動装置の組立作業を容易に行うことが可能になる。
【００１２】
また、本発明では、複数の突出部の間に配置される突出部間配置部の、磁性部材の径方向における幅等を調整することで、磁性部材と駆動用磁石との間の磁気的吸引力を調整することが可能になる。すなわち、本発明では、複数の突出部の間に形成されるデッドスペースを利用して、磁性部材と駆動用磁石との間の磁気的吸引力を調整することが可能になる。そのため、本発明では、光軸方向に直交する方向において、磁性部材と駆動用磁石との間の磁気的吸引力を調整するためのスペースを別途、設ける必要がない。したがって、本発明では、磁性部材と駆動用磁石との間の磁気的吸引力の調整が可能であっても、レンズ駆動装置に使用されるレンズの径を大きくしたり、光軸方向に直交する方向においてレンズ駆動装置を小型化したりすることが可能になる。
【００１３】
本発明において、たとえば、レンズ駆動装置は、光軸方向から見たときの形状が略矩形状となるように形成され、駆動用磁石は、略平板状に形成されるとともに、光軸方向から見たときのレンズ駆動装置の四辺のそれぞれに沿うように配置され、可動体は、レンズの光軸を曲率中心にした略円弧状に形成されレンズの光軸を中心とした略９０°ピッチで配置される４個の突出部を備え、磁性部材は、レンズの光軸を中心とした略９０°ピッチで配置される４個の外周側配置部と、レンズの光軸を中心とした略９０°ピッチで配置される４個の突出部間配置部とを備え、４個の突出部および４個の外周側配置部のそれぞれは、光軸方向から見たときのレンズ駆動装置の四隅のそれぞれに対応する位置に配置され、４個の突出部間配置部は、光軸方向から見たときのレンズ駆動装置の四辺のそれぞれに対応する位置に配置されている。この場合には、駆動用磁石に比較的近い位置に配置される突出部間配置部の幅等を調整することで、磁性部材と駆動用磁石との間の磁気的吸引力を調整することができる。したがって、磁性部材と駆動用磁石との間の磁気的吸引力を効率的に調整することが可能になる。
【００１４】
本発明において、可動体は、磁性部材の外周側に配置され磁性部材搭載面から被写体側に向かって突出する４個の第２突出部を備え、４個の第２突出部のそれぞれは、光軸方向から見たときのレンズ駆動装置の四隅のそれぞれに対応する位置に配置されていることが好ましい。このように構成すると、第２突出部を用いて、磁性部材をより容易に位置決めすることが可能になる。また、このように構成すると、デッドスペースになりやすいレンズ駆動装置の四隅に第２突出部が配置されているため、可動体に第２突出部が形成されていても、レンズ駆動装置に使用されるレンズの径を大きくしたり、光軸方向に直交する方向においてレンズ駆動装置を小型化したりすることが可能になる。
【００１５】
本発明において、磁性部材は、外周側配置部から外周側へ突出する２個の突起部を備え、可動体には、突起部が係合する２個の係合部が形成され、２個の突起部および２個の係合部のそれぞれは、光軸方向から見たときのレンズ駆動装置の四隅のうちの２箇所のそれぞれに対応する位置に配置されていることが好ましい。このように構成すると、突起部と係合部とを用いて、磁性部材をより容易に位置決めすることが可能になる。また、このように構成すると、デッドスペースになりやすいレンズ駆動装置の四隅に突起部および係合部が配置されているため、磁性部材に突起部が形成され、可動体に係合部が形成されていても、レンズ駆動装置に使用されるレンズの径を大きくしたり、光軸方向に直交する方向においてレンズ駆動装置を小型化したりすることが可能になる。
【００１６】
本発明において、たとえば、突出部間配置部には、外周側へ突出する凸部が形成され、凸部の全体が磁性部材搭載面に搭載されている。この場合には、凸部を利用して、磁性部材と駆動用磁石との間の磁気的吸引力の調整範囲を広げることが可能になる。また、この場合には、凸部の全体が磁性部材搭載面に搭載されているため、凸部が可動体の外周側へ突出することがない。したがって、突出部間配置部に凸部が形成されていても、レンズ駆動装置に使用されるレンズの径を大きくしたり、光軸方向に直交する方向においてレンズ駆動装置を小型化したりすることが可能になる。
【００１７】
本発明において、磁性部材は、光軸方向から見たときにレンズの光軸に対して点対称に形成されていることが好ましい。このように構成すると、駆動用磁石と磁性部材との間の磁気的吸引力の、レンズの周方向におけるばらつきを抑制することが可能になる。
【００１８】
本発明において、たとえば、突出部は、光軸方向における可動体の可動範囲を規制する機能を果たしている。
【００１９】
本発明のレンズ駆動装置の調整方法では、たとえば、磁性部材の径方向における突出部間配置部の幅によって、駆動用磁石と磁性部材との間の磁気的吸引力を調整する。この調整方法では、磁性部材の径方向における突出部間配置部の幅によって、駆動用磁石と磁性部材との間の磁気的吸引力を調整するため、たとえば、磁性部材の厚みを調整することで、駆動用磁石と磁性部材との間の磁気的吸引力を調整する場合と比較して、駆動用磁石と磁性部材との間の磁気的吸引力を調整するために準備される複数種類の磁性部材を外観上で見分けやすくなる。したがって、レンズ駆動装置に取り付けられる磁性部材の取付間違いを抑制することが可能になる。
【発明の効果】
【００２０】
以上のように、本発明のレンズ駆動装置では、可動体に固定される磁性部材と固定体に固定される駆動用磁石との間の磁気的吸引力の調整が可能であっても、組立作業を容易に行うことが可能になる。また、本発明のレンズ駆動装置の調整方法では、レンズ駆動装置に取り付けられる磁性部材の取付間違いを抑制することが可能になる。
【図面の簡単な説明】
【００２１】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図２に示すスリーブ、磁性部材および駆動用磁石の平面図である。
【図５】図３に示すスリーブの斜視図である。
【図６】図５に示すスリーブの平面図である。
【図７】図５に示す磁性部材の平面図である。
【図８】図７のＦ部の拡大図である。
【図９】本発明の他の実施の形態にかかる磁性部材を説明するための拡大図である。
【発明を実施するための形態】
【００２２】
以下、図面を参照しながら、本発明の実施の形態を説明する。
【００２３】
（レンズ駆動装置の全体構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。なお、以下の説明では、図１等に示すように、互いに直交する３方向のそれぞれをＸ方向、Ｙ方向およびＺ方向とする。また、Ｘ方向を左右方向、Ｙ方向を前後方向、Ｚ方向を上下方向とする。また、Ｚ１方向側を「上」側、Ｚ２方向側を「下」側とする。
【００２４】
本形態のレンズ駆動装置１は、携帯電話、ドライブレコーダあるいは監視カメラシステム等で使用される比較的小型のカメラに搭載されるものであり、図１に示すように、全体として略四角柱状に形成されている。具体的には、レンズ駆動装置１は、撮影用のレンズの光軸Ｌの方向（光軸方向）から見たときの形状が略正方形状となるように形成されている。また、レンズ駆動装置１の４つの側面は、左右方向と上下方向とから構成される平面（すなわち、Ｚ方向とＸ方向とから構成されるＺＸ平面）または前後方向と上下方向とから構成される平面（すなわち、Ｙ方向とＺ方向とから構成されるＹＺ平面）と略平行になっている。
【００２５】
本形態では、Ｚ方向（上下方向）が光軸方向とほぼ一致している。また、本形態のレンズ駆動装置１が搭載されるカメラでは、下側に図示を省略する撮像素子が配置されており、上側に配置される被写体が撮影される。すなわち、本形態では、上側（Ｚ１方向側）は被写体側（物体側）であり、下側（Ｚ２方向側）は反被写体側（撮像素子側、像側）である。
【００２６】
レンズ駆動装置１は、図１、図２に示すように、撮影用のレンズを保持し光軸方向へ移動可能な可動体２と、可動体２を光軸方向へ移動可能に保持する固定体３と、可動体２を光軸方向へ駆動するための駆動機構４とを備えている。また、レンズ駆動装置１は、図２、図３に示すように、可動体２と固定体３とを繋ぐバネ部材としての板バネ５、６を備えている。すなわち、可動体２は、板バネ５、６を介して固定体３に移動可能に保持されている。本形態では、板バネ５が可動体２の上端側に配置され、板バネ６が可動体２の下端側に配置されている。
【００２７】
可動体２は、複数のレンズが固定されたレンズホルダ７を保持するスリーブ８を備えている。固定体３は、レンズ駆動装置１の側面を構成するカバー部材１０と、レンズ駆動装置１の下端側部分を構成するベース部材１１と、板バネ５の一部が固定されるスペーサ１２とを備えている。スリーブ８の上端側には、軟磁性材料で形成された環状の磁性部材１３が固定されている。ベース部材１１には、駆動機構４を構成する後述の駆動用コイル２０へ電流を供給するための一対の給電端子１４が固定されている。なお、図３では、レンズホルダ７の図示を省略している。
【００２８】
レンズホルダ７は、略円筒状に形成されている。このレンズホルダ７の内周側には、複数のレンズが固定されている。スリーブ８は、たとえば、樹脂材料で形成されるとともに、略筒状に形成されている。具体的には、スリーブ８は、光軸方向から見たときの内周面の形状が略円形状となり、光軸方向から見たときの外周面の形状が略正方形状となる略筒状に形成されている。このスリーブ８は、その内周側でレンズホルダ７を保持している。スリーブ８の下端には、ベース部材１１に形成される後述の基準面１１ｂに当接して、光軸方向における可動体２の基準位置を決める突起部８ａが下方向へ突出するように形成されている。突起部８ａは、光軸Ｌを略中心とする９０°ピッチで４箇所に形成されている。スリーブ８のより具体的な構成については後述する。
【００２９】
カバー部材１０は、磁性を有する金属材料で形成されている。また、カバー部材１０は、底部１０ａと筒部１０ｂとを有する底付きの略四角筒状に形成されている。上側に配置される底部１０ａの中心には、貫通孔１０ｃが形成されている。このカバー部材１０は、可動体２および駆動機構４の外周側を覆っている。
【００３０】
ベース部材１１は、絶縁性を有する樹脂材料で形成されている。また、ベース部材１１は、光軸方向から見たときの形状が略正方形となる扁平なブロック状に形成されている。このベース部材１１は、カバー部材１０の下端側に取り付けられている。ベース部材１１の中心には、貫通孔１１ａが形成されている。また、ベース部材１１の上面には、光軸方向における可動体２の基準位置を決めるための基準面１１ｂが、光軸方向に直交する平面状に形成されている。基準面１１ｂは、光軸Ｌを略中心とする９０°ピッチで４箇所に形成されている。本形態では、スリーブ８の突起部８ａの下端面が基準面１１ｂに当接しているときに、可動体２は、光軸方向の基準位置にある。
【００３１】
スペーサ１２は、たとえば、樹脂材料で形成されるとともに、略正方形の扁平なブロック状に形成されている。また、スペーサ１２は、枠状に形成されており、その中心には、貫通孔が形成されている。このスペーサ１２は、カバー部材１０の底部１０ａの下面に固定されている。スペーサ１２の四隅のそれぞれの下面側には、板バネ５を構成する後述の固定体固定部が接着固定されている。
【００３２】
板バネ５は、金属材料によって板状に形成されている。この板バネ５は、スリーブ８の上端側に固定される可動体固定部と、スペーサ１２に固定される４個の固定体固定部と、可動体固定部と固定体固定部とを繋ぐ４本の腕部とを備えている。可動体固定部は、円環状に形成されている。固定体固定部は、略長方形状に形成されており、可動体固定部よりも外周側に配置されている。また、４個の固定体固定部のそれぞれは、レンズ駆動装置１の四隅のそれぞれに配置されている。腕部は、板バネ５の所望のバネ特性を得ることができるように略１／４円弧状に形成されている。
【００３３】
板バネ５は、その厚み方向と光軸方向とが略一致するように、スリーブ８およびスペーサ１２に固定されている。板バネ５の固定体固定部は、可動体２の可動範囲において、可動体固定部よりも下側に配置されており、板バネ５は、腕部が常時、撓んでいる状態で、スリーブ８およびスペーサ１２に固定されている。そのため、可動体２は、板バネ５の付勢力によって、常時、下方向へ付勢されている。すなわち、可動体２は、板バネ５の付勢力によって、スリーブ８の突起部８ａの下端面がベース部材１１の基準面１１ｂに当接する可動体２の光軸方向の基準位置に向かって付勢されている。
【００３４】
板バネ６は、互いに電気的に分離された２個のバネ片１５によって構成されている。バネ片１５は、導電性を有する金属材料によって板状に形成されている。バネ片１５は、スリーブ８の下端側に固定される可動体固定部と、ベース部材１１に固定される２個の固定体固定部と、可動体固定部と固定体固定部とを繋ぐ２本の腕部とを備えている。バネ片１５には、駆動機構４を構成する後述の駆動用コイル２０の端部が電気的に接続されている。バネ片１５は、その厚み方向と光軸方向とが略一致するように、スリーブ８およびベース部材１１に固定されている。また、バネ片１５は、後述の駆動用コイル２０に電流が供給されていないときに、バネ片１５による可動体２の付勢力が生じないように、スリーブ８およびベース部材１１に固定されている。
【００３５】
給電端子１４は、導電性を有する金属材料によって形成されている。２個の給電端子１４のうちの一方の給電端子１４には、２個のバネ片１５の一方が電気的に接続され、他方の給電端子１４には、他方のバネ片１５が電気的に接続されている。給電端子１４は、ベース部材１１に固定されている。
【００３６】
駆動機構４は、スリーブ８の外周側に巻回される駆動用コイル２０と、レンズ駆動装置１の４つの側面のそれぞれに沿って配置される駆動用磁石２１とを備えている。駆動用コイル２０は、スリーブ８の外周面に巻回されており、スリーブ８に固定されている。駆動用磁石２１は、略矩形の平板状に形成されている。この駆動用磁石２１は、前後方向または左右方向において駆動用コイル２０の外周面と対向するようにカバー部材１０の筒部１０ｂの内側面に固定されている。すなわち、駆動用磁石２１は、光軸方向から見たときのレンズ駆動装置１の四辺のそれぞれに沿うように配置されている。本形態のカバー部材１０は、磁気回路を形成するためのヨークの機能を果たしている。
【００３７】
（スリーブの構成および磁性部材の構成）
図４は、図２に示すスリーブ８、磁性部材１３および駆動用磁石２１の平面図である。図５は、図３に示すスリーブ８の斜視図である。図６は、図５に示すスリーブ８の平面図である。図７は、図５に示す磁性部材１３の平面図である。図８は、図７のＦ部の拡大図である。
【００３８】
スリーブ８の上端側には、磁性部材１３が搭載される磁性部材搭載面としての搭載面８ｃが形成されている。搭載面８ｃは、光軸方向に直交する平面状に形成されている。また、スリーブ８の上端側には、搭載面８ｃから上側に向かって突出する複数の突出部８ｄと、突出部８ｄよりも外周側に配置されるとともに搭載面８ｃから上側に向かって突出する第２突出部としての複数の突出部８ｅとが形成されている。本形態では、４個の突出部８ｄと４個の突出部８ｅとがスリーブ８の上端側に形成されている。
【００３９】
４個の突出部８ｄは、光軸Ｌを曲率中心とする略円弧状に形成されている。また、４個の突出部８ｄは、レンズの周方向において所定の間隔をあけた状態で形成されている。具体的には、４個の突出部８ｄは、光軸Ｌを中心とする略９０°ピッチで形成されている。レンズの周方向における突出部８ｄの間には、切欠き部８ｆが形成されている。突出部８ｄの内周面は、スリーブ８の内周面の一部を構成している。突出部８ｄは、レンズ駆動装置１に衝撃が加わったときに、カバー部材１０の底部１０ａに当接して、可動体８の光軸方向における可動範囲を規制する機能を果たしている。
【００４０】
図６に示すように、４個の突出部８ｄのそれぞれは、光軸方向から見たときの外周面の形状が略正方形状となるスリーブ８の四隅のそれぞれに形成されており、光軸方向から見たときのレンズ駆動装置１の四隅のそれぞれに対応する位置に配置されている。また、４個の切欠き部８ｆのそれぞれは、光軸方向から見たときのレンズ駆動装置１の四辺のそれぞれに対応する位置に配置されている。
【００４１】
搭載面８ｃは、突出部８ｄの外周側および切欠き部８ｆに形成されている。すなわち、搭載面８ｃは、突出部８ｄの外周側、および、レンズの周方向における４個の突出部８ｄの間に形成されている。また、搭載面８ｃは、スリーブ８の、駆動用コイル２０が巻回される部分よりも上側に形成されている。また、搭載面８ｃは、可動体２の可動範囲において、常に、駆動用磁石２１よりも上側に配置されている。なお、スリーブ８の上端側の左右方向の一端には、搭載面８ｃから下側に向かって略矩形状に切り欠かれた搭載面切欠き部８ｇが形成されている。
【００４２】
突出部８ｅは、光軸Ｌを曲率中心とする略円弧状に形成されている。また、４個の突出部８ｅは、レンズの周方向において所定の間隔をあけた状態で形成されている。具体的には、４個の突出部８ｅは、光軸Ｌを中心とする略９０°ピッチで形成されている。図６に示すように、４個の突出部８ｅのそれぞれは、光軸方向から見たときの外周面の形状が略正方形状となるスリーブ８の四隅のそれぞれに形成されており、光軸方向から見たときのレンズ駆動装置１の四隅のそれぞれに対応する位置に配置されている。すなわち、突出部８ｅは、突出部８ｄの外周側に配置されている。突出部８ｅの上端面は、板バネ５の可動体固定部が接着固定されるバネ固定面となっている。
【００４３】
光軸方向における突出部８ｄの高さは、突出部８ｅの高さよりも高くなっている。また、光軸方向における突出部８ｅの高さは、磁性部材１３の厚みよりも高くなっている。また、レンズの径方向（スリーブ８の径方向）における突出部８ｄの外周面と突出部８ｅの内周面との距離は、磁性部材１３を構成する後述の外周側配置部１３ａの幅よりも広くなっている。突出部８ｄと突出部８ｅとの間には、搭載面８ｃの一部が配置されている。
【００４４】
また、スリーブ８には、磁性部材１３を構成する後述の突起部１３ｃに係合可能な４個の係合部８ｈが形成されている。係合部８ｈは、突出部８ｅの周方向における略中心部分が下側に向かって切り欠かれることで形成されている。係合部８ｈの底面は、搭載面８ｃの一部を構成している。なお、後述のように、磁性部材１３には、２個の突起部１３ｃが形成されており、４個の係合部８ｈのうちの２個の係合部８ｈに突起部１３ｃが係合している。
【００４５】
磁性部材１３は、略円環状に形成されている。この磁性部材１３は、突出部８ｄの外周側に配置される（より具体的には、突出部８ｄと突出部８ｅとの間に配置される）複数の外周側配置部１３ａと、突出部８ｄの間に配置される（すなわち、切欠き部８ｆに配置される）複数の突出部間配置部１３ｂとを備えている。本形態の磁性部材１３は、光軸Ｌを中心とする略９０°ピッチで配置される４個の外周側配置部１３ａと、光軸Ｌを中心とする略９０°ピッチで配置される４個の突出部間配置部１３ｂとを備えている。外周側配置部１３ａと突出部間配置部１３ｂとは、環状に形成される磁性部材１３の周方向において交互に配置されており、磁性部材１３は、光軸方向から見たときに光軸Ｌに対して点対称に形成されている。
【００４６】
外周側配置部１３ａおよび突出部間配置部１３ｂは、光軸Ｌを中心とする略円弧状に形成されている。突出部間配置部１３ｂの内径は、外周側配置部１３ａの内径よりも小さくなっている。また、突出部間配置部１３ｂの外径は、外周側配置部１３ａの外径以下となっている。上述のように、４個の突出部８ｄのそれぞれは、光軸方向から見たときのレンズ駆動装置１の四隅のそれぞれに対応する位置に配置されており、４個の外周側配置部１３ａのそれぞれは、光軸方向から見たときのレンズ駆動装置１の四隅のそれぞれに対応する位置に配置されている。また、４個の切欠き部８ｆのそれぞれは、光軸方向から見たときのレンズ駆動装置１の四辺のそれぞれに対応する位置に配置されており、４個の突出部間配置部１３ｂは、光軸方向から見たときのレンズ駆動装置１の四辺のそれぞれに対応する位置に配置されている。レンズ駆動装置１の四辺のそれぞれに対応する位置に配置される突出部間配置部１３ｂの外径は、スリーブ８の外周端から突出部間配置部１３ｂが突出しないように設定されている。
【００４７】
また、磁性部材１３は、４個の外周側配置部１３ａのうちの２個の外周側配置部１３ａから外周側へ突出する２個の突起部１３ｃを備えている。突起部１３ｃは、対角線上に配置される２個の外周側配置部１３ａから外周側へ突出するように形成されている。また、突起部１３ｃは、外周側配置部１３ａの周方向における略中心位置に形成されている。２個の突起部１３ｃは、４個の係合部８ｈのうちの２個の係合部８ｈに係合している。
【００４８】
磁性部材１３は、接着剤によって搭載面８ｃに固定されている。また、上述のように、搭載面８ｃは、可動体２の可動範囲において、常に、駆動用磁石２１よりも上側に配置されている。すなわち、磁性部材１３は、駆動用磁石２１よりも上側でスリーブ８に固定されている。そのため、磁性部材１３と駆動用磁石２１との間に生じる磁気的吸引力によって、可動体２は、常時、下方向へ付勢されている。すなわち、磁性部材１３と駆動用磁石２１との間の磁気的吸引力によって、可動体２は、スリーブ８の突起部８ａの下端面がベース部材１１の基準面１１ｂに当接する可動体２の光軸方向の基準位置に向かって付勢されている。また、上述のように、板バネ５の付勢力によっても、可動体２は、光軸方向の基準位置に向かって付勢されている。すなわち、可動体２は、板バネ５の付勢力と、磁性部材１３と駆動用磁石２１との間の磁気的吸引力とによって、光軸方向の基準位置に向かって付勢されている。
【００４９】
本形態では、板バネ５のバネ特性、駆動用磁石２１の磁力あるいはスリーブ８の寸法等にばらつきが生じて、光軸方向の基準位置に向かう可動体２の付勢力がばらついても、この付勢力を調整して、この付勢力のばらつきを抑制するため、磁性部材１３の径方向における突出部間配置部１３ｂの幅によって、磁性部材１３と駆動用磁石２１との間の磁気的吸引力を調整している。すなわち、磁性部材１３として、たとえば、図８に示すように、突出部間配置部１３ｂの幅が異なる複数種類の磁性部材１３を準備し、複数種類の磁性部材１３の中から、光軸方向の基準位置に向かう可動体２の付勢力が所定の範囲内に収まる磁性部材１３を、レンズ駆動装置１の組立時に選択して搭載面８ｃに固定することで、磁性部材１３と駆動用磁石２１との間の磁気的吸引力を調整している。
【００５０】
本形態では、突出部間配置部１３ｂの内径を一定にして、その外径の大きさを変えることで、複数種類の磁性部材１３の突出部間配置部１３ｂの幅を変えている。複数種類の磁性部材１３の中には、図８（Ａ）に示すように、外周側配置部１３ａの幅と突出部間配置部１３ｂの幅とが等しいものもあれば、図８（Ｂ）〜（Ｄ）に示すように、突出部間配置部１３ｂの幅が外周側配置部１３ａの幅より広いものもある。また、図８（Ｄ）に示すように、外周側配置部１３ａの外径と突出部間配置部１３ｂの外径とが等しいものもある。また、本形態では、複数種類の磁性部材１３の厚みは一定となっている。なお、突出部間配置部１３ｂの幅が外周側配置部１３ａの幅よりも狭くなっている磁性部材１３があっても良い。
【００５１】
同じ生産ロットで生産された板バネ５のバネ特性はある程度、安定していると推定され、同じ生産ロッドで生産された駆動用磁石２１の磁力はある程度、安定していると推定され、また、同じ生産ロッドで生産されたスリーブ８の寸法はある程度、安定していると推定される。そのため、本形態では、同じ生産ロッドで生産された板バネ５等が用いられる数個のレンズ駆動装置１の可動体２の付勢力を測定して、複数種類の磁性部材１３の中から使用する磁性部材１３を選択し、可動体２の付勢力が測定されたレンズ駆動装置１の板バネ５等と生産ロッドが同じ板バネ５等が用いられるレンズ駆動装置１では、この選択された磁性部材１３が使用される。
【００５２】
たとえば、レンズ駆動装置１の組立時に測定された可動体２の付勢力が小さい場合には、磁性部材１３と駆動用磁石２１との間の磁気的吸引力を強くするため、突出部間配置部１３ｂの幅の広い磁性部材１３が使用される。一方、レンズ駆動装置１の組立時に測定された可動体２の付勢力が大きい場合には、磁性部材１３と駆動用磁石２１との間の磁気的吸引力を弱くするため、突出部間配置部１３ｂの幅の狭い磁性部材１３が使用される。
【００５３】
（本形態の主な効果）
以上説明したように、本形態では、板バネ５のバネ特性等がばらついても、磁性部材１３の径方向における突出部間配置部１３ｂの幅によって、磁性部材１３と駆動用磁石２１との間の磁気的吸引力を調整している。また、本形態では、突出部間配置部１３ｂが、スリーブ８に形成される４個の突出部８ｄの間に配置されているため、突出部８ｄを利用して、磁性部材１３を容易に位置決めすることが可能になる。したがって、本形態では、磁性部材１３と駆動用磁石２１との間の磁気的吸引力の調整が可能であっても、レンズ駆動装置１の組立作業を容易に行うことが可能になる。
【００５４】
また、本形態では、４個の突出部８ｄ間に配置される突出部間配置部１３ｂの幅によって、磁性部材１３と駆動用磁石２１との間の磁気的吸引力を調整しているため、突出部８ｄの間に形成されるデッドスペースを利用して（すなわち、切欠き部８ｆを利用して）、磁性部材１３と駆動用磁石２１との間の磁気的吸引力を調整することができる。したがって、本形態では、前後左右方向において、磁性部材１３と駆動用磁石２１との間の磁気的吸引力を調整するためのスペースを別途、設ける必要がない。その結果、本形態では、磁性部材１３と駆動用磁石２１との間の磁気的吸引力の調整が可能となっていても、レンズ駆動装置１に使用されるレンズの径を大きくしたり、前後左右方向においてレンズ駆動装置１を小型化したりすることが可能になる。
【００５５】
さらに、本形態では、突出部間配置部１３ｂの幅によって、磁性部材１３と駆動用磁石２１との間の磁気的吸引力を調整するため、たとえば、磁性部材１３の厚みを調整することで、磁性部材１３と駆動用磁石２１との間の磁気的吸引力を調整する場合と比較して、磁性部材１３と駆動用磁石２１との間の磁気的吸引力を調整するために準備される複数種類の磁性部材１３を外観上で見分けやすくなる。したがって、本形態では、レンズ駆動装置１に取り付けられる磁性部材１３の取付間違いを抑制することが可能になる。
【００５６】
本形態では、駆動用磁石２１は、光軸方向から見たときのレンズ駆動装置１の四辺のそれぞれに沿うように配置され、突出部間配置部１３ｂは、光軸方向から見たときのレンズ駆動装置１の四辺のそれぞれに対応する位置に配置されている。すなわち、本形態では、駆動用磁石２１に比較的近い位置に突出部間配置部１３ｂが配置されており、駆動用磁石２１に比較的近い位置に配置される突出部間配置部１３ｂの幅を調整することで、磁性部材１３と駆動用磁石２１との間の磁気的吸引力を調整することができる。そのため、本形態では、磁性部材１３と駆動用磁石２１との間の磁気的吸引力を効率的に調整することが可能になる。
【００５７】
本形態では、スリーブ８に、突出部８ｄの外周側に配置される突出部８ｅが形成されている。また、本形態では、スリーブ８の係合部８ｈに係合する突起部１３ｃが磁性部材１３に形成されている。そのため、本形態では、突出部８ｅ、係合部８ｈおよび突起部１３ｃを用いて、磁性部材１３をより容易に位置決めすることが可能になる。また、本形態では、突出部８ｅ、係合部８ｈおよび突起部１３ｃは、光軸方向から見たときのレンズ駆動装置１の四隅のそれぞれに対応する位置に配置されている。すなわち、本形態では、デッドスペースになりやすいレンズ駆動装置の四隅に突出部８ｅ、係合部８ｈおよび突起部１３ｃが配置されている。そのため、本形態では、スリーブ８に突出部８ｅおよび係合部８ｈが形成され、磁性部材１３に突起部１３ｃが形成されていても、レンズ駆動装置１に使用されるレンズの径を大きくしたり、前後左右方向においてレンズ駆動装置１を小型化したりすることが可能になる。
【００５８】
本形態では、磁性部材１３は、光軸方向から見たときに光軸Ｌに対して点対称に形成されている。そのため、本形態では、磁性部材１３と駆動用磁石２１との間の磁気的吸引力の、レンズの周方向におけるばらつきを抑制することが可能になる。
【００５９】
本形態では、スリーブ８の上端側の左右方向の一端に搭載面切欠き部８ｇが形成されている。そのため、本形態では、搭載面切欠き部８ｇを目印にして、磁性部材１３の突起部１３ｃの、スリーブ８に対する配置箇所を決めることが可能になる。すなわち、本形態では、４個の係合部８ｈのうちの、一方の対角線上に配置される２個の係合部８ｈに突起部１３ｃを配置するのか、それとも、他方の対角線上に配置される残りの２個の係合部８ｈに突起部１３ｃを配置するのかを、搭載面切欠き部８ｇを目印にして決めることが可能になる。したがって、本形態では、複数のレンズ駆動装置１において、スリーブ８に対して同じ位置に突起部１３ｃを配置することが可能になり、レンズ駆動装置１ごとの、磁性部材１３と駆動用磁石２１との間の磁気的吸引力のばらつきを抑制することが可能になる。その結果、本形態では、レンズ駆動装置１ごとの特性のばらつきを抑制することが可能になる。
【００６０】
（他の実施の形態）
上述した形態は、本発明の好適な形態の一例ではあるが、これに限定されるものではなく本発明の要旨を変更しない範囲において種々変形実施が可能である。
【００６１】
上述した形態において、図９に示すように、突出部間配置部１３ｂに外周側へ突出する凸部１３ｄが形成されても良い。この場合には、凸部１３ｄの全体は、搭載面８ｃに搭載されており、凸部１３ｄの先端側は、スリーブ８の外周端から外周側へ突出していない。また、この場合には、突出部間配置部１３ｂの幅によって、磁性部材１３と駆動用磁石２１との間の磁気的吸引力を調整する代わりに、突出部間配置部１３ｂに形成される凸部１３ｄの数によって、磁性部材１３と駆動用磁石２１との間の磁気的吸引力を調整しても良い。すなわち、磁性部材１３として、たとえば、図９に示すように、凸部１３ｄの数が異なる複数種類の磁性部材１３を準備し、複数種類の磁性部材１３の中から、光軸方向の基準位置に向かう可動体２の付勢力が所定の範囲内に収まる磁性部材１３を、レンズ駆動装置１の組立時に選択して搭載面８ｃに固定することで、磁性部材１３と駆動用磁石２１との間の磁気的吸引力を調整しても良い。
【００６２】
この場合には、凸部１３ｄを利用して、磁性部材１３と駆動用磁石２１との間の磁気的吸引力の調整範囲を広げることが可能になる。また、この場合には、凸部１３ｄの全体が搭載面８ｃに搭載されており、凸部１３ｄの先端側がスリーブ８の外周端から外周側へ突出していないため、突出部間配置部１３ｂに凸部１３ｄが形成されていても、レンズ駆動装置１に使用されるレンズの径を大きくしたり、前後左右方向においてレンズ駆動装置１を小型化したりすることが可能になる。なお、突出部間配置部１３ｂの幅と、突出部間配置部１３ｂに形成される凸部１３ｄの数との組合せによって、磁性部材１３と駆動用磁石２１との間の磁気的吸引力を調整しても良い。
【００６３】
また、上述した形態では、複数種類の磁性部材１３の厚みは一定となっているが、複数種類の磁性部材１３の厚みを変えても良い。この場合には、突出部間配置部１３ｂの幅によって、磁性部材１３と駆動用磁石２１との間の磁気的吸引力を調整する代わりに、磁性部材１３の厚みによって、磁性部材１３と駆動用磁石２１との間の磁気的吸引力を調整しても良い。また、突出部間配置部１３ｂの幅と、磁性部材１３の厚みとの組合せによって、磁性部材１３と駆動用磁石２１との間の磁気的吸引力を調整しても良い。
【００６４】
上述した形態では、複数種類の磁性部材１３の、突出部間配置部１３ｂの内径は同じになっている。この他にもたとえば、複数種類の磁性部材１３の、突出部間配置部１３ｂの内径が互いに異なっていても良い。また、上述した形態では、磁性部材１３は、略円環状に形成されているが、磁性部材１３は、略四角環状に形成されても良いし、略四角環状以外の略多角環状に形成されても良い。また、上述した形態では、スリーブ８の上端側に４個の突出部８ｄが形成されているが、スリーブ８の上端側に形成される突出部８ｄの数は、２個または３個であっても良いし、５個以上であっても良い。
【００６５】
上述した形態では、レンズ駆動装置１は、光軸方向から見たときの形状が略正方形状となるように形成されているが、レンズ駆動装置１は、光軸方向から見たときの形状が略長方形状となるように形成されても良い。また、レンズ駆動装置１は、光軸方向から見たときの形状が略六角形状等の多角形状となるように形成されても良いし、略円形状や略楕円形状となるように形成されても良い。
【符号の説明】
【００６６】
１  レンズ駆動装置
２  可動体
３  固定体
５、６  板バネ（バネ部材）
８ｃ  搭載面（磁性部材搭載面）
８ｄ  突出部
８ｅ  突出部（第２突出部）
８ｈ  係合部
１３  磁性部材
１３ａ  外周側配置部
１３ｂ  突出部間配置部
１３ｃ  突起部
１３ｄ  凸部
２０  駆動用コイル
２１  駆動用磁石
Ｌ  光軸
Ｚ  光軸方向
Ｚ１  被写体側
【図１】
2014115309.tif 000003
【図２】
2014115309.tif 000004
【図３】
2014115309.tif 000005
【図４】
2014115309.tif 000006
【図５】
2014115309.tif 000007
【図６】
2014115309.tif 000008
【図７】
2014115309.tif 000009
【図８】
2014115309.tif 000010
【図９】
2014115309.tif 000011